(57)【要約】    【課題】  本発明の課題は、小型化が可能であるとともに、電気的にオープン機構を制御できる携帯端末を提供することにある。    【解決手段】  本発明に関わる携帯端末は、本体２と該本体２に開閉自在な蓋体３とを備え、着信があった場合に該着信を認知させる振動を発生するとともに本体２に閉じた蓋体３を自動的に開く携帯端末１であって、正逆回転するモーターｍ1と、着信があった場合にモーターｍ1の一方向の回転の駆動力によって振動を発生する振動発生手段ｗと、モーターｍ1の他方向の回転の駆動力により本体２に閉じた蓋体３を開く蓋オープン手段Ｏとを具備して成る。    【選択図】  図２
2008219660.tif 000002
【特許請求の範囲】
【請求項１】
本体と該本体に開閉自在な蓋体とを備え、着信があった場合に該着信を認知させる振動を発生するとともに前記本体に閉じた前記蓋体を自動的に開く携帯端末であって、
正逆回転するモーターと、
着信があった場合に前記モーターの一方向の回転の駆動力によって振動を発生する振動発生手段と、
前記モーターの他方向の回転の駆動力により前記本体に閉じた前記蓋体を開く蓋オープン手段とを
具備して成ることを特徴とする携帯端末。
【請求項２】
前記モーターの一方向の回転に伴なって回転して駆動力を伝達するとともに該モーターの他方向の回転には空転する第１ワンウェイクラッチと、前記モーターの他方向の回転に伴なって回転して駆動力を伝達するとともに前記モーターの一方向の回転には空転する第２ワンウェイクラッチとを、さらに具備し、
前記振動発生手段は、前記モーターに前記第１ワンウェイクラッチを介して接続され、着信があった場合に前記モーターの一方向の回転の駆動力が前記第１ワンウェイクラッチを介して伝達され、
前記蓋オープン手段は、前記モーターに前記第２ワンウェイクラッチを介して接続され、前記モーターの他方向の回転の駆動力が前記第２ワンウェイクラッチを介して伝達される
ことを特徴とする請求項１に記載の携帯端末。
【請求項３】
前記蓋体を閉じる動作が行なわれた場合、前記第２ワンウェイクラッチと前記蓋オープン手段とを切り離すことを特徴とする請求項２に記載の携帯端末。
【請求項４】
前記蓋オープン手段により前記本体に閉じた前記蓋体を開く過程において、着信があった場合に前記蓋体を開く動作を優先制御する制御手段を備える
ことを特徴とする請求項１から請求項３のうちの何れか一項に記載の携帯端末。
【発明の詳細な説明】
【技術分野】
【０００１】
本発明は、着信を振動によって利用者に認知させるとともに蓋体を本体から自動でオープンする携帯端末に関する。
【背景技術】
【０００２】
携帯端末の一態様の携帯電話機１００は、オープンした状態を表す図４に示すように、内部に制御部(図示せず)が収納される本体１０１と、該本体１０１に開閉自在にヒンジ１０３結合される蓋体１０２とを備えている。
【０００３】
本体１０１には、携帯電話機１００を操作するための複数のテンキーのキートップ１０４、多機能キーのキートップ１０５、および決定キーのキートップ１０６等が外側に露出し配設されており、蓋体１０２には、各種情報が表示される液晶表示部１０７が配設されている。
【０００４】
携帯電話機１００は、通話や電子メールの送受信等の使用に際しては、右側面図の図４(ｂ)に示すように、蓋体１０２を本体１０１から開いて使用され、未使用時には蓋体１０２を矢印βのように本体１０１に閉じて用いられる。
【０００５】
ところで、近年、ＩＣの高集積化等に起因して携帯電話機１００の小型、薄型化が進行し、携帯電話機１００の開閉動作がしづらくなっている。
【０００６】
そのため、バネやモーターによって携帯電話機１００の本体１０１に閉じた蓋体１０２を自動的にオープンする機能を搭載したものが開発され、市場に流通している(例えば特
許文献１）。
【特許文献１】特開２００５−２５２４９２号公報
【発明の開示】
【発明が解決しようとする課題】
【０００７】
ところで、携帯電話機１００は着信が有った際、概念図の図５(ａ)に示すように、偏心した重り１０９をモーターｍ2で矢印で示すように回転させて振れ回り運動を発生させ
、携帯電話機１００を振動をさせる機構が本体１０１内に配設されている。
【０００８】
一方、携帯電話機１００の本体１０１に閉じた蓋体１０２をオープンする機構は、概念図の図５(ｂ)に示すように、上述のモーターｍ2とは別モーターのモーターｍ3により、モーター歯車ｇを介して蓋体１０２を自動的に開くためのオープン機構Ｏ1を駆動している
。
【０００９】
このように、オープン機構Ｏ1専用のモーターｍ3或いはバネ機構(図示せず)などが別途、必要になるため、本体１０１内の占有スペースが大きくなり、占有面積の増加に伴い携帯電話機１００の全体サイズが大きくなり、携帯電話機１００の小型、薄型化の流れに逆行するという問題がある。
【００１０】
また、オープン機構Ｏ1専用のモーターｍ3等の機構部品を用いるため、構成が複雑化し製造コストが上昇するという不都合がある。
【００１１】
本発明は上記実状に鑑み、小型化が可能であるとともに蓋体のオープン機構を電気的に制御できる携帯端末の提供を目的とする。
【課題を解決するための手段】
【００１２】
上記目的を達成するべく、本発明の請求項１に関わる携帯端末は、本体と該本体に開閉自在な蓋体とを備え、着信があった場合に該着信を認知させる振動を発生するとともに前記本体に閉じた前記蓋体を自動的に開く携帯端末であって、正逆回転するモーターと、着信があった場合に前記モーターの一方向の回転の駆動力によって振動を発生する振動発生手段と、前記モーターの他方向の回転の駆動力により前記本体に閉じた前記蓋体を開く蓋オープン手段とを具備して成る。
【００１３】
本発明の請求項２に関わる携帯端末は、請求項１に記載の携帯端末において、さらに、前記モーターの一方向の回転に伴なって回転して駆動力を伝達するとともに該モーターの他方向の回転には空転する第１ワンウェイクラッチと、前記モーターの他方向の回転に伴なって回転して駆動力を伝達するとともに前記モーターの一方向の回転には空転する第２ワンウェイクラッチとを具備し、前記振動発生手段は、前記モーターに前記第１ワンウェイクラッチを介して接続され、着信があった場合に前記モーターの一方向の回転の駆動力が前記第１ワンウェイクラッチを介して伝達され、前記蓋オープン手段は、前記モーターに前記第２ワンウェイクラッチを介して接続され、前記モーターの他方向の回転の駆動力が前記第２ワンウェイクラッチを介して伝達されている。
【００１４】
本発明の請求項３に関わる携帯端末は、請求項２に記載の携帯端末において、前記蓋体を閉じる動作が行なわれた場合、前記第２ワンウェイクラッチと前記蓋オープン手段とを切り離している。
【００１５】
本発明の請求項４に関わる携帯端末は、請求項１から請求項３のうちの何れか一項に記載の携帯端末において、前記蓋オープン手段により前記本体に閉じた前記蓋体を開く過程において、着信があった場合に前記蓋体を開く動作を優先制御する制御手段を備えている。
【発明の効果】
【００１６】
以上、詳述した如く、本発明の請求項１、２に関わる携帯端末は、着信があった場合に該着信を知らせる振動を発生する振動発生手段の駆動源と、本体に閉じた蓋体を開く蓋オープン手段の駆動源とを一つのモーターで共有するので、携帯端末の小型薄型化が可能である。
【００１７】
また、モーターの回転方向により振動の機能と蓋体を開く機能とを切り替えるため、電気的な制御が行なえる。
【００１８】
本発明の請求項３に関わる携帯端末は、蓋体を閉じる動作が行なわれた場合に、第２ワンウェイクラッチと蓋オープン手段とを切り離すので、蓋体を閉じる動作により振動手段による振動の発生が防止され、利用者が着信と誤認することがない。
【００１９】
本発明の請求項４に関わる携帯端末は、蓋オープン手段により蓋体を開く過程において、着信があった場合に蓋体を開く動作を優先制御する制御手段を備えるので、使い勝手が良好である。
【発明を実施するための最良の形態】
【００２０】
以下、本発明の実施形態について添付図面を参照して説明する。
【００２１】
本発明を適用した携帯電話機(携帯端末)１は、オープンした状態の正面図の図１(ａ)、右側面図の図１(ｂ)に示すように、内部に制御部(図示せず)が収納される本体２と、該本体２に開閉自在にヒンジ４結合される蓋体３とを備えている。
【００２２】
上記本体２には、携帯電話機１を操作するための複数のテンキーのキートップ５、多機能キーのキートップ６、および決定キーのキートップ７等が外側に露出して配設されており、蓋体３には、各種情報が表示される液晶表示部８が配設されている。
【００２３】
携帯電話機１は、通話中、または電子メールの送受信等の使用に際しては、図１(ａ)、(ｂ)に示すように、蓋体３を本体２から開いて使用され、未使用時には矢印α１のように蓋体３を本体２に閉じて用いられる(図１(ｃ)参照)。
【００２４】
携帯電話機１の本体２に蓋体３を閉じた状態から、本体２を開いた状態(図１(ａ)、(ｂ)参照)する場合には、蓋開釦(図示せず)を押下することによって、本体２内に配設される電動のオープン機構(蓋オープン手段)Ｏ(後述)を駆動することにより行なわれ、一方、携帯電話機１を開いた状態から、閉じた状態にする場合には手動で行なわれる。
【００２５】
また、携帯電話機１は、電話の着信時には、本体２内に配設される振動機構Ｖ(後述)によって振動し、利用者に着信が認知されるように構成されている。
【００２６】
上記振動機構Ｖは、概念図の図２に示すように、駆動源となるモーターｍ1と、モータ
ーｍ1の回転軸ｊに固定されたワンウェイクラッチ(第１ワンウェイクラッチ)ｃ1と、ワンウェイクラッチｃ1に固定される偏心した偏心錘(振動発生手段)ｗとを備え構成されてい
る。
【００２７】
ワンウェイクラッチｃ1は、回転軸ｊの矢印β1方向の回転によって回転し偏心錘ｗを回動させるが、回転軸ｊの矢印β2方向の回転には対しては空転して偏心錘ｗを回動させな
い。
【００２８】
上記オープン機構Ｏは、図２に示すように、上述の振動の駆動源と同じモーターｍ1が
使用され、モーターｍ1の回転軸ｊに固定されたワンウェイクラッチ(第２ワンウェイクラッチ)ｃ2を介して、駆動源のモーターｍ1に連結されている。
【００２９】
ワンウェイクラッチｃ2は、一方向の矢印β1方向の回転軸ｊの回転に対しては空転してモーターｍ1の駆動力をオープン機構Ｏに伝達しないが、他方向の矢印β2方向の回転軸ｊの回転によって回転しモーターｍ1の駆動力をオープン機構Ｏに伝達し、オープン機構Ｏ
が駆動され、本体２に閉じた蓋体３ (図１(ｃ)参照)を矢印α2方向に開く。
【００３０】
また、携帯電話機１における本体２の全開状態(図１(ｂ)参照)を検知する検知手段である蓋オープン検知用ホール素子(図示せず)が、本体２のヒンジ４近傍に設けられ、一方、該ホール素子が検出する磁界を発生する蓋オープン検知用の磁石(図示せず)が、蓋体３が全開した場合に該ホール素子に近付くように蓋体３のヒンジ４近傍に設けられている。
【００３１】
上記検知手段により、携帯電話機１の蓋体３が全開状態(図１(ｂ)参照)になった場合、蓋体３のヒンジ４近傍の蓋オープン検知用の磁石が、本体２のヒンジ４近傍の蓋オープン検知用ホール素子に近付き、該ホール素子が前記磁石の磁界を検出して電圧を発生し、携帯電話機１の蓋体３が全開したことを検知する。
【００３２】
次に、振動機構Ｖおよびオープン機構Ｏの動作について説明する。
【００３３】
携帯電話機１の着信があった際、制御回路は、モーターｍ1を矢印β1方向に高速で回転制御し、ワンウェイクラッチｃ1を介して偏心錘ｗを回動させて振れ回り運動を発生させ
、本体２を振動させて着信を利用者に認知させる。
【００３４】
なお、モーターｍ1が矢印β1方向に回転する場合、オープン機構Ｏに接続するワンウェイクラッチｃ2は空転するため、オープン機構Ｏにモーターｍ1の動力が伝達されることはない。
【００３５】
一方、携帯電話機１の蓋体３を閉じた状態(図１(ｃ)参照)において、利用者が携帯電話機１の蓋体３を開いた状態(図１(ａ)、(ｂ)参照)にする場合、蓋開釦を押下する。
【００３６】
蓋開釦が押下されると、制御回路は、モーターｍ1を矢印β2方向に回動させることにより、回転軸ｊが矢印β2方向に回動し、モーターｍ1の駆動力が、ワンウェイクラッチｃ2
を介してオープン機構Ｏに伝達される。
【００３７】
オープン機構Ｏが駆動することにより、図１(ｃ)に示す携帯電話機１の本体２に閉じた蓋体３は矢印α2方向に開き、図１(ｂ)に示す前開状態になると、蓋オープン検知用の磁
石が蓋オープン検知用ホール素子に近付き、該ホール素子に電圧が発生して全開状態が検知され、制御回路によってモーターｍ1の矢印β2方向の回転が停止され、蓋体３の開動作が停止される。
【００３８】
なお、モーターｍ1が矢印β2方向に回転する場合、振動機構Ｖに接続するワンウェイクラッチｃ1は空転するため、振動機構Ｖにモーターｍ1の動力が伝達されることはない。
【００３９】
ところで、携帯電話機１の蓋体３を開いた状態(図１(ｂ)参照)において、利用者が蓋体３を閉じる場合、手動で行なわれるが、利用者が蓋体３を開いた状態(図１(ｂ)参照)から矢印α1方向に閉じる動作を行なった場合、オープン機構Ｏ、ワンウェイクラッチｃ2を介して回転軸ｊが矢印β1方向に回転し、蓋体３を閉じる際に偏心錘ｗが回動して振れ回り
運動を起こし振動が発生する。
【００４０】
そこで、利用者が蓋体３を開いた状態から矢印α1方向に閉じる動作を行なった場合、
蓋体３の閉動作に伴うヒンジ４、オープン機構Ｏのギア等の動作をバネ等を用いた検知機構(図示せず)により検知し、オープン機構Ｏとワンウェイクラッチｃ2を切り離し、上述
の振動の発生を防止している。
【００４１】
なお、蓋体３を閉じる際の偏心錘ｗの振れ回り運動による本体２の振動が、利用者が着信があったと誤認しない程度である場合には、蓋体３の閉動作時にオープン機構Ｏとワンウェイクラッチｃ2とを切り離さない構成とすることも可能である。
【００４２】
また、利用者が、蓋体３を閉じた状態(図１(ｃ)参照)から、蓋開釦を押下して、図２に示すように、モーターｍ1を矢印β2方向に回動させ、モーターｍ1の駆動力がワンウェイ
クラッチｃ2を介して、オープン機構Ｏに伝達され、蓋体３の開動作を行なっている際に
着信が有った場合には、制御回路より蓋体３の開動作を優先させる制御が行なわれる。
【００４３】
そして、蓋体３の開動作が終了した後、制御回路によりモーターｍ1を矢印β1方向に高速で回動制御し、ワンウェイクラッチｃ1を介して偏心錘ｗを回動させて振れ回り運動を
発生させて本体２を振動させ、携帯電話機１の着信を利用者に認知させる。
【００４４】
なお、上述の構成とは逆に、蓋体３の開動作を行なっている際に着信が有った場合、制御回路により、蓋体３の開動作を一旦、停止制御し、モーターｍ1を矢印β1方向に高速で回転制御し、ワンウェイクラッチｃ1を介して偏心錘ｗを回動させて振れ回り運動を発生
させ、本体２を振動させて携帯電話機１の着信を利用者に認知させた後、再度、モーターｍ1を矢印β2方向に回転制御し、蓋体３の開動作を継続して行なってもよい。
【００４５】
なお、上述の実施例では、概念的側面図の図３(ａ)に示すように、蓋体３を本体２に対して矢印に示すように折り畳む、クラムシェル、すなわち、折り畳み式の携帯電話機１を例示して説明したが、概念的側面図の図３(ｂ)に示すように、蓋体１３を本体１２に対して矢印に示すようにスライドさせるスライド式携帯電話機１０にも、上述の振動機構Ｖ、オープン機構Ｏと同様な構成の振動機構Ｖ1、オープン機構Ｏ2を適用することができる。
【００４６】
上記構成によれば、着信時に振動を発生させる振動機構Ｖの駆動源とオープン機構Ｏの駆動源とを１つのモーターｍ1で共有するため、携帯電話機１内の占有スペースが狭小化
し、携帯電話機１の小型化、薄型化が可能である。
【００４７】
また、モーターｍ1の回転方向により振動機構Ｖの機能とオープン機構Ｏの機能とを切
り替えるため、電気的な制御が行なえる。
【００４８】
本発明の活用例として、携帯電話機１を例示して説明したが、携帯電話機１以外の携帯端末にも幅広く活用可能である。
【図面の簡単な説明】
【００４９】
【図１】(ａ)、(ｂ)、および(ｃ)は、本発明に関わる実施例の携帯電話機がオープンした状態を示す正面図、側面図、および携帯電話機がクローズした状態を示す側面図。
【図２】実施例の携帯電話機における振動機構および蓋体のオープン機構を示す概念図。
【図３】(ａ)および(ｂ)は、折り畳み式携帯電話機を示す概念的側面図、およびスライド式携帯電話機を示す概念的側面図。
【図４】(ａ)および(ｂ)は、従来の携帯電話機がオープンした状態を示す正面図、および側面図。
【図５】(ａ)および(ｂ)は、従来の携帯電話機における振動を発生する機構を示す概念図、および携帯電話機をオープンする機構を示す概念図。
【符号の説明】
【００５０】
１…携帯電話機(携帯端末)、
２…本体、
３…蓋体、
ｃ1…ワンウェイクラッチ(第１ワンウェイクラッチ)、
ｃ2…ワンウェイクラッチ(第２ワンウェイクラッチ)、
ｍ1…モーター、
Ｏ…オープン機構(蓋オープン手段)、
ｗ…偏心錘(振動発生手段)。
【図１】
2008219660.tif 000003
【図２】
2008219660.tif 000004
【図３】
2008219660.tif 000005
【図４】
2008219660.tif 000006
【図５】
2008219660.tif 000007